(57)【要約】      （修正有）【課題】サーバの構成／機能を変更することなく、無線アクセス装置におけるシステム変更のみで、回線劣化によるＴＲＡＰパケットのロスを防止する。【解決手段】装置Ｎ１〜Ｎ８の各々は、一定周期毎に現在の受信電界レベルの取得を行なう。また、他装置に対する回線劣化通知及び回線復旧通知の発行タイミングと、受信電界レベルが回線劣化通知スレッショルドを下回ったか否かの回線状態とに応じて、自装置を回線劣化状態または回線復旧状態にすると共に、他装置に対して回線劣化通知または回線復旧通知を発行する。回線劣化通知を受信した装置は、受信したポートから劣化した回線系統（ここでは無線か有線か）を検知すると共に、送信先ＩＰ情報を取得し、送信ＴＲＡＰテーブルから通知時刻前のＴＲＡＰ−ＩＤを取得する。この送信先ＩＰ情報とＴＲＡＰ−ＩＤとを基に、送信済みＴＲＡＰ−Ｓｅｑｕｅｎｃｅ−ＩＤ管理テーブルを更新する。【選択図】図１
2011082906.tif 000002
【特許請求の範囲】
【請求項１】
無線回線により他装置と接続されると共に、有線回線により別の他装置とも接続される無線アクセス装置であって、
利用可能な回線系統が使用可能状態にあるか否かを検証する手段と、
送信したＴＲＡＰの送信先のＩＰアドレス別に送信時の回線系統を記憶するＴＲＡＰ送信先アドレスの送信方向テーブルと、
送信したＴＲＡＰの送信先のＩＰアドレス別に既に送信したＴＲＡＰのＳｅｑｕｅｎｓｅ−ＩＤを記憶する送信済みＴＲＡＰ−Ｓｅｑｕｅｎｓｅ−ＩＤ管理テーブルと、
送信したＴＲＡＰのＳｅｑｕｅｎｓｅ−ＩＤに対応する送信時刻とＴＲＡＰの内容とを記憶する送信ＴＲＡＰテーブルと、を備え、さらに、
回線劣化通知の発行中でない回線系統が使用可能状態ではなくなった場合に、他装置に対して、該回線系統の回線劣化通知を発行すると共に、自装置を回線劣化状態にする手段と、
回線劣化通知の発行済みの回線系統が使用可能状態となった場合に、他装置に対して、該回線系統の回線復旧通知を発行すると共に、自装置を回線復旧状態にする手段と、
他装置から回線劣化通知を受信した際に、該通知を受信したポートから劣化した回線系統を検知して、受信情報から送信先ＩＰ情報を取得すると共に、前記送信ＴＲＡＰテーブルから通知時刻前のＴＲＡＰ−ＩＤを取得し、前記送信先ＩＰ情報と前記ＴＲＡＰ−ＩＤとを基に、前記の送信済みＴＲＡＰ−Ｓｅｑｕｅｎｃｅ−ＩＤ管理テーブルを更新すると共に前記送信先ＩＰ情報が示す送信先ＩＰアドレスに対するＴＲＡＰの送信を停止する手段と、
他装置から回線復旧通知を受信した際に、該通知を受信したポートから復旧した回線系統を検知して、受信情報から送信先ＩＰ情報を取得すると共に、前記送信先ＩＰアドレス情報を基に、前記送信済みＴＲＡＰ−Ｓｅｑｕｅｎｃｅ−ＩＤ管理テーブルから送信済みＴＲＡＰのＳｅｑｕｅｎｃｅ−ＩＤを取得し、該ＴＲＡＰのＳｅｑｕｅｎｃｅ−ＩＤから順に送信ＴＲＡＰテーブルに保存している情報を前記送信先ＩＰアドレスに対して送信する手段と、
を備えたことを特徴とする無線アクセス装置。
【請求項２】
前記回線系統が使用可能状態ではなくなった場合の判定は、信号受信端における電界レベルを所定の閾値と比較することによって行われることを特徴とする請求項１記載の無線アクセス装置。
【請求項３】
前記ポートを任意の複数とし、前記ポートに対応する回線系統の各々に対する監視を行うことを特徴とする請求項１または請求項２記載の無線アクセス装置。
【請求項４】
請求項１記載の無線アクセス装置を構成要素に含む無線アクセス装置の監視システム。
【請求項５】
無線回線により他装置と接続されると共に、有線回線により別の他装置とも接続される無線アクセス装置の監視方法であって、
利用可能な回線系統が使用可能状態にあるか否かを検証する手段と、
送信したＴＲＡＰの送信先のＩＰアドレス別に送信時の回線系統を記憶するＴＲＡＰ送信先アドレスの送信方向テーブルと、
送信したＴＲＡＰの送信先のＩＰアドレス別に既に送信したＴＲＡＰのＳｅｑｕｅｎｓｅ−ＩＤを記憶する送信済みＴＲＡＰ−Ｓｅｑｕｅｎｓｅ−ＩＤ管理テーブルと、
送信したＴＲＡＰのＳｅｑｕｅｎｓｅ−ＩＤに対応する送信時刻とＴＲＡＰの内容とを記憶する送信ＴＲＡＰテーブルと、を参照し、
回線劣化通知の発行中でない回線系統が使用可能状態ではなくなった場合に、他装置に対して、該回線系統の回線劣化通知を発行すると共に、自装置を回線劣化状態にする手段と、
回線劣化通知の発行済みの回線系統が使用可能状態となった場合に、他装置に対して、該回線系統の回線復旧通知を発行すると共に、自装置を回線復旧状態にするステップと、
他装置から回線劣化通知を受信した際に、該通知を受信したポートから劣化した回線系統を検知して、受信情報から送信先ＩＰ情報を取得すると共に、前記送信ＴＲＡＰテーブルから通知時刻前のＴＲＡＰ−ＩＤを取得し、前記送信先ＩＰ情報と前記ＴＲＡＰ−ＩＤとを基に、前記の送信済みＴＲＡＰ−Ｓｅｑｕｅｎｃｅ−ＩＤ管理テーブルを更新すると共に前記送信先ＩＰ情報が示す送信先ＩＰアドレスに対するＴＲＡＰの送信を停止するステップと、
他装置から回線復旧通知を受信した際に、該通知を受信したポートから復旧した回線系統を検知して、受信情報から送信先ＩＰ情報を取得すると共に、前記送信先ＩＰアドレス情報を基に、前記送信済みＴＲＡＰ−Ｓｅｑｕｅｎｃｅ−ＩＤ管理テーブルから送信済みＴＲＡＰのＳｅｑｕｅｎｃｅ−ＩＤを取得し、該ＴＲＡＰのＳｅｑｕｅｎｃｅ−ＩＤから順に送信ＴＲＡＰテーブルに保存している情報を前記送信先ＩＰアドレスに対して送信するステップと、
を有することを特徴とする無線アクセス装置の監視方法。
【請求項６】
無線回線により他装置と接続されると共に、有線回線により別の他装置とも接続される無線アクセス装置の監視手段をコンピュータに実行させるためのコンピュータプログラムであって、
利用可能な回線系統が使用可能状態にあるか否かを検証する手段と、
送信したＴＲＡＰの送信先のＩＰアドレス別に送信時の回線系統を記憶するＴＲＡＰ送信先アドレスの送信方向テーブルと、
送信したＴＲＡＰの送信先のＩＰアドレス別に既に送信したＴＲＡＰのＳｅｑｕｅｎｓｅ−ＩＤを記憶する送信済みＴＲＡＰ−Ｓｅｑｕｅｎｓｅ−ＩＤ管理テーブルと、
送信したＴＲＡＰのＳｅｑｕｅｎｓｅ−ＩＤに対応する送信時刻とＴＲＡＰの内容とを記憶する送信ＴＲＡＰテーブルと、を有し、さらに、
回線劣化通知の発行中でない回線系統が使用可能状態ではなくなった場合に、他装置に対して、該回線系統の回線劣化通知を発行すると共に、自装置を回線劣化状態にする手段と、
回線劣化通知の発行済みの回線系統が使用可能状態となった場合に、他装置に対して、該回線系統の回線復旧通知を発行すると共に、自装置を回線復旧状態にするステップと、
他装置から回線劣化通知を受信した際に、該通知を受信したポートから劣化した回線系統を検知して、受信情報から送信先ＩＰ情報を取得すると共に、前記送信ＴＲＡＰテーブルから通知時刻前のＴＲＡＰ−ＩＤを取得し、前記送信先ＩＰ情報と前記ＴＲＡＰ−ＩＤとを基に、前記の送信済みＴＲＡＰ−Ｓｅｑｕｅｎｃｅ−ＩＤ管理テーブルを更新すると共に前記送信先ＩＰ情報が示す送信先ＩＰアドレスに対するＴＲＡＰの送信を停止するステップと、
他装置から回線復旧通知を受信した際に、該通知を受信したポートから復旧した回線系統を検知して、受信情報から送信先ＩＰ情報を取得すると共に、前記送信先ＩＰアドレス情報を基に、前記送信済みＴＲＡＰ−Ｓｅｑｕｅｎｃｅ−ＩＤ管理テーブルから送信済みＴＲＡＰのＳｅｑｕｅｎｃｅ−ＩＤを取得し、該ＴＲＡＰのＳｅｑｕｅｎｃｅ−ＩＤから順に送信ＴＲＡＰテーブルに保存している情報を前記送信先ＩＰアドレスに対して送信するステップと、
を有することを特徴とするコンピュータプログラム。
【発明の詳細な説明】
【技術分野】
【０００１】
本発明は無線アクセス装置、無線アクセス装置の無線アクセス装置の監視システム、無線アクセス装置の監視方法、及びコンピュータプログラムに係り、特に、ＳＮＭＰ(Simple Network Management Protocol)、及びＴＲＡＰ（イベント通知）を使用した無線アクセス装置の監視システム、無線アクセス装置、無線アクセス装置の監視方法、及びコンピュータプログラムに関する。
【背景技術】
【０００２】
近年、無線アクセス装置（以下、「装置」と略称することがある）を有する通信ネットワークでは、回線劣化によるＴＲＡＰパケットのロスを防御することが重要な課題となっており、このため、ＴＲＡＰ−Ｓｅｑｕｅｎｃｅ−ＩＤを付加することによるＴＲＡＰロスの検出や、ＴＲＡＰ群の作成が行われている。
しかし、この場合、装置間における回線劣化により、回線でのＴＲＡＰ落ちに起因した再送が、サーバ装置間で行なわれることになり、サーバ及び装置側での負荷を増加させている。
この分野の先行技術として、特許文献１，２，３には、前述のＴＲＡＰ−Ｓｅｑｕｅｎｃｅ−ＩＤを付加することによるＴＲＡＰロスのサーバでの発見方法が提案されている。
【０００３】
また、特許文献４には、ＴＲＡＰ送信数に対する閾値によるＴＲＡＰ再送方法について開示している。
なお、特許文献５には、ＳＮＭＰに関する応用技術を搭載したネットワーク装置による障害通知方法を開示している。
また、特許文献６には、リトライ回数ＣＮＴが所定回数Ｋを超えたら、送信しようとしたＴＲＡＰ情報を記憶部に保持する技術が開示されている。
さらに、特許文献７には、ＳＮＭＰを使用した監視ネットワークシステムの装置が無線回線の劣化を測定・感知し、劣化を感知した方向と逆の方向へ回線劣化通知を送信する技術が開示されている。
【先行技術文献】
【特許文献】
【０００４】
【特許文献１】特開２００８−９７３２６号公報
【特許文献２】特開２００３−２４４１４２号公報
【特許文献３】特開２００４−２２１８４９号公報
【特許文献４】特開２００８−１９８０４１号公報
【特許文献５】特開２００４−２５８９４２号公報
【特許文献６】特開２００７−６５７９７号公報
【特許文献７】特開平７−１４３１５３号公報
【発明の概要】
【発明が解決しようとする課題】
【０００５】
ところで、上記背景技術で述べた既成技術の無線アクセス装置及び無線アクセス装置の監視方法にあっては、前述のとおり、装置間における回線劣化により、回線でのＴＲＡＰ落ちに起因した再送がサーバ装置間で行なわれるので、サーバ及び装置側での負荷を増加させるという問題点が有った。
なお、特許文献１，２，３に開示されている技術は、前述のとおり、ＴＲＡＰ−Ｓｅｑｕｅｎｃｅ−ＩＤを付加することにより、ＴＲＡＰロスをサーバで発見する方法を採用しているものであるが、この方法では、サーバ側では装置に対して、データが抜けたことを検出した上で、装置に対して抜け落ちたデータの要求を行なう必要が有った。
【０００６】
また、特許文献４に開示されている技術では、前述のとおり、ＴＲＡＰ送信数に対する閾値によるＴＲＡＰ再送方法について開示しているが、この方法では、途中の回線経路におけるネットワーク障害等による防止についてはＮＭＳ（Network Management System）側から確認する必要が生じる。
なお、前述の特許文献５には、前述のとおり、ＳＮＭＰに関する応用技術を搭載したネットワーク装置による障害通知方法を開示しているが、本発明の要旨とは異なる。
また、前述の特許文献６には、前述のとおり、リトライ回数ＣＮＴが所定回数Ｋを超えたら、送信しようとしたＴＲＡＰ情報を記憶部に保持する技術が開示されているが、やはり本発明の要旨には抵触しない。
【０００７】
さらに、前述の特許文献７には、前述のとおり、ＳＮＭＰを使用した監視ネットワークシステムの装置が無線回線の劣化を測定・感知し、劣化を感知した方向と逆の方向へ回線劣化通知を送信する技術が開示されており、この点に関しては本発明の方法と同様であるが、本発明は、これだけではなく、劣化を感知した方向と逆の方向へ回線劣化通知を送信するものである。
【０００８】
本発明は、上記従来の問題点に鑑みてなされたものであって、サーバの構成／機能を変更することなく、無線アクセス装置におけるシステム変更のみで、回線劣化によるＴＲＡＰパケットのロスを防止することができる無線アクセス装置及び無線アクセス装置の監視システム並びに無線アクセス装置の監視方法を提供することを目的としている。
【課題を解決するための手段】
【０００９】
上記課題を解決するために、本発明に係る無線アクセス装置は、無線回線により他装置と接続されると共に、有線回線により別の他装置とも接続される無線アクセス装置であって、利用可能な回線系統が使用可能状態にあるか否かを検証する手段と、送信したＴＲＡＰの送信先のＩＰアドレス別に送信時の回線系統を記憶するＴＲＡＰ送信先アドレスの送信方向テーブルと、送信したＴＲＡＰの送信先のＩＰアドレス別に既に送信したＴＲＡＰのＳｅｑｕｅｎｓｅ−ＩＤを記憶する送信済みＴＲＡＰ−Ｓｅｑｕｅｎｓｅ−ＩＤ管理テーブルと、送信したＴＲＡＰのＳｅｑｕｅｎｓｅ−ＩＤに対応する送信時刻とＴＲＡＰの内容とを記憶する送信ＴＲＡＰテーブルと、を備え、さらに、回線劣化通知の発行中でない回線系統が使用可能状態ではなくなった場合に、他装置に対して、該回線系統の回線劣化通知を発行すると共に、自装置を回線劣化状態にする手段と、回線劣化通知の発行済みの回線系統が使用可能状態となった場合に、他装置に対して、該回線系統の回線復旧通知を発行すると共に、自装置を回線復旧状態にする手段と、他装置から回線劣化通知を受信した際に、該通知を受信したポートから劣化した回線系統を検知して、受信情報から送信先ＩＰ情報を取得すると共に、前記送信ＴＲＡＰテーブルから通知時刻前のＴＲＡＰ−ＩＤを取得し、前記送信先ＩＰ情報と前記ＴＲＡＰ−ＩＤとを基に、前記の送信済みＴＲＡＰ−Ｓｅｑｕｅｎｃｅ−ＩＤ管理テーブルを更新すると共に前記送信先ＩＰ情報が示す送信先ＩＰアドレスに対するＴＲＡＰの送信を停止する手段と、他装置から回線復旧通知を受信した際に、該通知を受信したポートから復旧した回線系統を検知して、受信情報から送信先ＩＰ情報を取得すると共に、前記送信先ＩＰアドレス情報を基に、前記送信済みＴＲＡＰ−Ｓｅｑｕｅｎｃｅ−ＩＤ管理テーブルから送信済みＴＲＡＰのＳｅｑｕｅｎｃｅ−ＩＤを取得し、該ＴＲＡＰのＳｅｑｕｅｎｃｅ−ＩＤから順に送信ＴＲＡＰテーブルに保存している情報を前記送信先ＩＰアドレスに対して送信する手段と、を備えたことを特徴とする。
【００１０】
また、本発明に係る無線アクセス装置の監視方法は、無線回線により他装置と接続されると共に、有線回線により別の他装置とも接続される無線アクセス装置の監視方法であって、利用可能な回線系統が使用可能状態にあるか否かを検証する手段と、送信したＴＲＡＰの送信先のＩＰアドレス別に送信時の回線系統を記憶するＴＲＡＰ送信先アドレスの送信方向テーブルと、送信したＴＲＡＰの送信先のＩＰアドレス別に既に送信したＴＲＡＰのＳｅｑｕｅｎｓｅ−ＩＤを記憶する送信済みＴＲＡＰ−Ｓｅｑｕｅｎｓｅ−ＩＤ管理テーブルと、送信したＴＲＡＰのＳｅｑｕｅｎｓｅ−ＩＤに対応する送信時刻とＴＲＡＰの内容とを記憶する送信ＴＲＡＰテーブルと、を参照し、回線劣化通知の発行中でない回線系統が使用可能状態ではなくなった場合に、他装置に対して、該回線系統の回線劣化通知を発行すると共に、自装置を回線劣化状態にする手段と、回線劣化通知の発行済みの回線系統が使用可能状態となった場合に、他装置に対して、該回線系統の回線復旧通知を発行すると共に、自装置を回線復旧状態にするステップと、他装置から回線劣化通知を受信した際に、該通知を受信したポートから劣化した回線系統を検知して、受信情報から送信先ＩＰ情報を取得すると共に、前記送信ＴＲＡＰテーブルから通知時刻前のＴＲＡＰ−ＩＤを取得し、前記送信先ＩＰ情報と前記ＴＲＡＰ−ＩＤとを基に、前記の送信済みＴＲＡＰ−Ｓｅｑｕｅｎｃｅ−ＩＤ管理テーブルを更新すると共に前記送信先ＩＰ情報が示す送信先ＩＰアドレスに対するＴＲＡＰの送信を停止するステップと、他装置から回線復旧通知を受信した際に、該通知を受信したポートから復旧した回線系統を検知して、受信情報から送信先ＩＰ情報を取得すると共に、前記送信先ＩＰアドレス情報を基に、前記送信済みＴＲＡＰ−Ｓｅｑｕｅｎｃｅ−ＩＤ管理テーブルから送信済みＴＲＡＰのＳｅｑｕｅｎｃｅ−ＩＤを取得し、該ＴＲＡＰのＳｅｑｕｅｎｃｅ−ＩＤから順に送信ＴＲＡＰテーブルに保存している情報を前記送信先ＩＰアドレスに対して送信するステップと、を有することを特徴とする。
【００１１】
さらに、本発明に係るコンピュータプログラムは、無線回線により他装置と接続されると共に、有線回線により別の他装置とも接続される無線アクセス装置の監視手段をコンピュータに実行させるためのコンピュータプログラムであって、利用可能な回線系統が使用可能状態にあるか否かを検証する手段と、送信したＴＲＡＰの送信先のＩＰアドレス別に送信時の回線系統を記憶するＴＲＡＰ送信先アドレスの送信方向テーブルと、送信したＴＲＡＰの送信先のＩＰアドレス別に既に送信したＴＲＡＰのＳｅｑｕｅｎｓｅ−ＩＤを記憶する送信済みＴＲＡＰ−Ｓｅｑｕｅｎｓｅ−ＩＤ管理テーブルと、送信したＴＲＡＰのＳｅｑｕｅｎｓｅ−ＩＤに対応する送信時刻とＴＲＡＰの内容とを記憶する送信ＴＲＡＰテーブルと、を有し、さらに、回線劣化通知の発行中でない回線系統が使用可能状態ではなくなった場合に、他装置に対して、該回線系統の回線劣化通知を発行すると共に、自装置を回線劣化状態にする手段と、回線劣化通知の発行済みの回線系統が使用可能状態となった場合に、他装置に対して、該回線系統の回線復旧通知を発行すると共に、自装置を回線復旧状態にするステップと、他装置から回線劣化通知を受信した際に、該通知を受信したポートから劣化した回線系統を検知して、受信情報から送信先ＩＰ情報を取得すると共に、前記送信ＴＲＡＰテーブルから通知時刻前のＴＲＡＰ−ＩＤを取得し、前記送信先ＩＰ情報と前記ＴＲＡＰ−ＩＤとを基に、前記の送信済みＴＲＡＰ−Ｓｅｑｕｅｎｃｅ−ＩＤ管理テーブルを更新すると共に前記送信先ＩＰ情報が示す送信先ＩＰアドレスに対するＴＲＡＰの送信を停止するステップと、他装置から回線復旧通知を受信した際に、該通知を受信したポートから復旧した回線系統を検知して、受信情報から送信先ＩＰ情報を取得すると共に、前記送信先ＩＰアドレス情報を基に、前記送信済みＴＲＡＰ−Ｓｅｑｕｅｎｃｅ−ＩＤ管理テーブルから送信済みＴＲＡＰのＳｅｑｕｅｎｃｅ−ＩＤを取得し、該ＴＲＡＰのＳｅｑｕｅｎｃｅ−ＩＤから順に送信ＴＲＡＰテーブルに保存している情報を前記送信先ＩＰアドレスに対して送信するステップと、を有することを特徴とする。
【発明の効果】
【００１２】
以上説明したように、本発明の無線アクセス装置によれば、送信したＴＲＡＰの送信先のＩＰアドレス別に送信時の回線系統を記憶するＴＲＡＰ送信先アドレスの送信方向テーブルと、送信したＴＲＡＰの送信先のＩＰアドレス別に既に送信したＴＲＡＰのＳｅｑｕｅｎｓｅ−ＩＤを記憶する送信済みＴＲＡＰ−Ｓｅｑｕｅｎｓｅ−ＩＤ管理テーブルと、送信したＴＲＡＰのＳｅｑｕｅｎｓｅ−ＩＤに対応する送信時刻とＴＲＡＰの内容とを記憶する送信ＴＲＡＰテーブルとを設け、利用可能な回線系統が使用可能状態にあるか否かの検証結果に応じて、自装置を回線劣化状態または回線復旧状態にすると共に、他装置に対して回線劣化通知または回線復旧通知を発行し、該回線劣化通知を受信した装置は、受信したポートから劣化した回線系統を検知すると共に、送信先ＩＰ情報を取得し、送信ＴＲＡＰテーブルから通知時刻前のＴＲＡＰ−ＩＤを取得して、該送信先ＩＰ情報と該ＴＲＡＰ−ＩＤとを基に、送信済みＴＲＡＰ−Ｓｅｑｕｅｎｃｅ−ＩＤ管理テーブルを更新するので、サーバの構成／機能を変更することなく、無線アクセス装置におけるシステム変更のみで、回線劣化によるＴＲＡＰパケットのロスを防止することができる効果が有る。
【図面の簡単な説明】
【００１３】
【図１】本発明の実施形態に係る無線アクセス装置の監視システムの全体構成を示す構成図である。
【図２】本発明の実施形態に係る無線アクセス装置の監視システムの回線劣化発生時の状態を示す説明図である。
【図３】本発明の実施形態に係る無線アクセス装置の監視システムの回線復旧時の状態を示す説明図である。
【図４】本発明の実施形態に係る無線アクセス装置の監視システムにおける各装置の通常時の動作手順を示すフローチャート図である。
【図５】本発明の実施形態に係る無線アクセス装置の監視システムにおいて、各装置から回線復旧通知と回線劣化発生通知とを発行する際の動作手順を示すフローチャート図である。
【図６】本発明の実施形態に係る無線アクセス装置の監視システムにおいて、各装置が回線劣化通知を受信した際の動作手順を示すフローチャート図である。
【図７】本発明の実施形態に係る無線アクセス装置の監視システムにおいて、各装置が回線復旧通知を受信した際の動作手順を示すフローチャート図である。
【図８】本発明の実施形態に係る無線アクセス装置の監視システムで使用される回線復旧通知及び回線劣化を通知する通知パケットのデータ構成を示すデータ構成図である。
【図９】本発明の実施形態に係る無線アクセス装置の監視システムで使用されるＴＲＡＰの一部データ構成を示すデータ構成図である。
【発明を実施するための形態】
【００１４】
本発明は、無線アクセス装置に用いられる監視ネットワークにおいて、サーバの構成／機能を変更することなく、装置におけるシステム変更のみで、回線劣化によるＴＲＡＰパケットのロスを防御することができる無線アクセス装置の監視システム及び無線アクセス装置並びに無線アクセス装置の監視方法を提供するものである。  
以下、本発明の無線アクセス装置の無線アクセス装置の監視システム、無線アクセス装置、無線アクセス装置の監視方法、及びコンピュータプログラムの実施形態について、図面を参照して詳細に説明する。
【００１５】
なお、それぞれの実施形態の説明では、本発明に係る無線アクセス装置の監視システム及び無線アクセス装置並びに無線アクセス装置の監視方法について詳述するが、本発明に係るコンピュータプログラムについては、本発明に係る無線アクセス装置の監視システム及び無線アクセス装置に含まれる各構成要素として実現するためのプログラムであることから、当該プログラムに関する説明は以下の説明に含まれる。
【００１６】
図１は、本発明の実施形態に係る無線アクセス装置の監視システムの全体構成を示す構成図である。
同図において、前記の装置Ｎ１〜Ｎ８は、本発明の実施形態に係る無線アクセス装置であり、本発明の実施形態の無線アクセス装置の監視システムは、監視装置であり、かつ監視対象装置でもある装置Ｎ１と接続された監視用サーバＡと、監視装置であり、かつ監視対象装置でもある装置Ｎ８と接続された監視用サーバＢと、無線回線及び有線回線を介して互いに接続された、監視装置であり、かつ監視対象装置でもある装置Ｎ１〜Ｎ８と、を備える。  装置Ｎ１−装置Ｎ２、装置Ｎ３−装置Ｎ４、装置Ｎ５−装置Ｎ６、及び装置Ｎ７−装置Ｎ８間については、無線回線を介して通信が行われるものとする。また、装置Ｎ２−装置Ｎ３、装置Ｎ４−Ｎ５、及び装置Ｎ６−装置Ｎ７間については、有線回線を介して通信が行われるものとする。
【００１７】
前記の各サーバ（サーバＡ及びサーバＢ）と、装置Ｎ１〜Ｎ８との間は、各装置が利用する有線及び無線回線を使用してＩＰのネットワーク通信が可能であるものとする。
前記の各装置（装置Ｎ１〜Ｎ８）では、無線方向及び有線方向に対してパケットの送受信及び転送を行なうため、自装置のどちらの方向でパケット受信したか、また、自装置のどちらの方向に対してパケット送信すべきかの認識が可能である。
【００１８】
図９は、本発明の実施形態に係る無線アクセス装置の監視システムで使用されるＴＲＡＰの一部データ構成を示すデータ構成図である。
また、各装置は、自装置の情報更新通知をサーバに通知するためのＳＮＭＰプロトコルを実装し、自装置に情報変更があった際は、サーバＡ，Ｂに対して図９で示すＶａｒｉａｂｌｅ−ＢｉｎｄｉｎｇｓをもったＴＲＡＰ通知を行なう。
各サーバでは、各装置で発生した時刻及びＴＲＡＰ抜けの監視を行なうため、図９のＴＲＡＰが解析できる機能を有するものとする。これにより、サーバＡ及びサーバＢでは、各装置からの情報のみでなく、各装置での発生時刻及び前記各装置からのＴＲＡＰ−Ｓｅｑｕｅｎｃｅ−ＩＤの認識が可能であるものとする。
【００１９】
なお、各装置は、以下に示す３つのテーブルを備える。
１つ目のテーブルは、各サーバのアドレス及びＴＲＡＰパケットを送信する回線系統を記憶する「ＴＲＡＰ送信先アドレス／方向テーブル」である。このテーブルにより、各装置は、自装置からＳＮＭＰマネージャであるサーバに対して送信するＴＲＡＰを、どの回線系統に送信すべきかの認識が可能となる。  
【００２０】
２つ目のテーブルは、自装置から送信したＴＲＡＰを保管するための［送信ＴＲＡＰテーブル］である。このテーブルにより、自装置で発生したＴＲＡＰの発生時刻Ｓｅｑｕｅｎｃｅ−ＩＤ及びＴＲＡＰ内容を保持することにより、更新時のみでなく、後から任意のＳｅｑｕｅｎｃｅ−ＩＤに対応したＴＲＡＰの再送信を行なえることになる。
【００２１】
３つ目のテーブルは、各サーバに対して送信完了したＴＲＡＰのＩＤを記録するための「送信済みＴＲＡＰのＳｅｑｕｅｎｓｅ−ＩＤ管理テーブル」を持つ。このテーブルにより、自装置で送信した各サーバへの通知済みＴＲＡＰ−Ｓｅｑｕｅｎｃｅ−ＩＤを管理することが可能となる。
【００２２】
以下、本発明の実施形態に係る無線アクセス装置の監視システムの機能を説明する。
装置Ｎ（図１では装置Ｎ３及び装置Ｎ４）において、受信した無線信号に対する受信電圧レベルを測定し、自装置の無線状況を確認する。この無線状況が悪化した場合は、自装置が感知した方向と逆方向に対して回線劣化通知を送信する。これにより、他装置（図１では装置Ｎ１，装置Ｎ２，及び装置Ｎ５〜装置Ｎ８）では、回線劣化箇所の回線を通過するルートのＴＲＡＰ送信処理を中止する。以上の手段により、サーバ（ここではサーバＡ）におけるＴＲＡＰロスを防ぐ。
その後、無線状況が良好になった場合には、回線復旧通知を行なうことにより、回線劣化通知を受信した装置Ｎでの送信ＴＲＡＰの再開を行なうことにより、サーバＡにおいて回線劣化時による監視不能時間におけるデータの補完を行なえるようにする。
【００２３】
以下、本発明の実施形態に係る無線アクセス装置の監視システムの機能をさらに具体的に説明する。
図１において、装置Ｎ１−装置Ｎ８は、それぞれ「ＴＲＡＰ送信先アドレスの送信方向テーブル」及び「送信済みＴＲＡＰのＳｅｑｕｅｎｓｅ−ＩＤ管理テーブル」及び「送信ＴＲＡＰテーブル」を有する。装置Ｎ３と装置Ｎ４との間にて回線劣化が発生した場合には、装置Ｎ３及び装置Ｎ４から劣化が生じた方向以外の方向に対して、回線劣化通知を送信する。回線劣化通知を受信した装置Ｎ１，装置Ｎ２，及び装置Ｎ５〜Ｎ８では、該通知された方向に対するＴＲＡＰ送信を中止する。また、装置Ｎ３と装置Ｎ４との間の無線回線が復旧したときには、回線劣化通知を送信した装置の方向に対して回線復旧の通知を行う。
【００２４】
また、この回線復旧通知を受信した装置Ｎ１，装置Ｎ２，及び装置Ｎ５〜Ｎ８では、回線復旧を通知した装置の方向に対して、ＴＲＡＰ送信中止した後に自装置内に保持している情報を基にＴＲＡＰ送信を再開する。
上記の各手段により、回線劣化中の回線を通過するＴＲＡＰ送信を減少させることにより、各サーバにおけるＴＲＡＰパケットのロスを防ぐことができる。また、回線復旧時に装置内に保持しているデータをサーバに送信することにより、サーバにおける監視不能時のデータをサーバ側で意識することなく補完することが可能になる。
【００２５】
図８は、本発明の実施形態に係る無線アクセス装置の監視システムで使用される回線復旧通知及び回線劣化を通知する通知パケットのデータ構成を示すデータ構成図である。
同図に示すテーブルには、宛先アドレス（Broadcast Addres）と、送信元アドレス（装置のＩＰアドレス）とが記載されており、また、データ部として、通知種別（０：回線復旧通知、１：回線劣化通知）と、通知時刻（年、月、日、時、分、秒）とが記載されている。
なお、各装置は、図８で示される回線復旧通知及び回線劣化通知パケット（ＩＰパケット）を使用して、自装置の無線回線状況を他装置に対して通知する。
回線復旧通知及び回線劣化通知パケットには、宛て先アドレスとして、ブロードキャストアドレスが含められる。また、自装置が検知したのが回線復旧か、それとも回線劣化かを判断するフラグを備える。さらに、回線復旧及び回線劣化として認識した時刻を通知するフィールドを有する。このような回線復旧通知及び回線劣化通知パケットを送受信することで、各装置は、受信側の装置において、回線復旧／回線劣化の区別と、回線復旧及び回線劣化が発生した時刻とを認識することを可能にしている。
【００２６】
図２は、本発明の実施形態に係る無線アクセス装置の監視システムの回線劣化発生時の状態を示す説明図である。
以下、図１を参照しながら、図２に示す状態の本実施形態に係る無線アクセス装置の回線劣化発生時の処理について説明する。
図２に示すように、装置Ｎ３ー装置Ｎ４間に回線劣化が発生した場合、装置Ｎ３からは装置Ｎ１及び装置Ｎ２に対して回線劣化通知を行なう。また、装置Ｎ４からは装置Ｎ５〜Ｎ８に対して回線劣化通知を行なう。回線劣化通知を受信した装置Ｎ１、装置Ｎ２、及び装置Ｎ５〜Ｎ８においては、受信した回線劣化通知を、装置Ｎ１では無線の回線系統で、装置Ｎ２では有線の回線系統で、それぞれ回線劣化が発生したことが、前記の回線劣化通知を受信した方向に基づいて検知可能となる。装置Ｎ５〜Ｎ８でも同様の検知が行なわれる。
【００２７】
これにより、装置Ｎ１では、無線の回線系統で回線劣化が生じていることが判別できるため、［ＴＲＡＰ送信先アドレス／方向テーブル］から、サーバＡ２に対してのＴＲＡＰ送信を停止する。また、例えば、装置Ｎ１では、回線劣化通知に含まれる発生時刻に基づいて、回線劣化が発生した時刻直前のＴＲＡＰを［送信ＴＲＡＰテーブル］から検索し、回線復旧通知を受信した際の再送を行えるようにするため、該検索したＴＲＡＰのＴＲＡＰ−ＩＤでもって、［送信済みＴＲＡＰのＳｅｑｕｅｎｓｅ−ＩＤ管理テーブル］の更新を行なう。その他の装置においても同様の処理を行う。
【００２８】
図３は、本発明の実施形態に係る無線アクセス装置の監視システムの回線復旧時の状態を示す説明図である。
以下、図１を参照しながら、図３に示す状態の本実施形態に係る無線アクセス装置の回線復旧時の処理について説明する。
以下、回線復旧時の処理について説明する。
図３に示すように、装置Ｎ３ー装置Ｎ４間の無線回線が復旧した場合、装置Ｎ３からは装置Ｎ１及び装置Ｎ２に対して回線復旧通知を行なう。また、装置Ｎ４からは装置Ｎ５〜Ｎ８に対して回線復旧通知を行なう。回線復旧通知を受信した装置Ｎ１、装置Ｎ２、及び装置Ｎ５〜Ｎ８においては、受信した回線復旧通知により、装置Ｎ１では無線の回線系統で回線復旧が発生したことが、また、装置Ｎ２では有線の回線系統で回線復旧が発生したことが、それぞれ回線復旧通知を受信した回線系統から検知可能となる。装置Ｎ５〜Ｎ８でも同様の検知が行なわれる。
【００２９】
図３に示す例で、例えば、装置Ｎ１では、無線の回線系統で回線復旧が生じていることが判別できるため、［ＴＲＡＰ送信先アドレス／方向テーブル］から、サーバＡ２に対して再送を行なう。この再送を行なう際に、［送信済みＴＲＡＰのＳｅｑｕｅｎｓｅ−ＩＤ管理テーブル］から、再送対象であるサーバＡ２に対する再送対象となるＴＲＡＰ−Ｓｅｑｕｅｎｃｅ−ＩＤを検索する。装置Ｎ１は、該検索したＴＲＡＰ−Ｓｅｑｕｅｎｃｅ−ＩＤと、［送信ＴＲＡＰテーブル］とから、前記の再送対象であったＴＲＡＰ−Ｓｅｑｕｅｎｃｅ−ＩＤ以降のＴＲＡＰの再送を開始する。その他の装置においても同様の処理を行う。
上記の装置構成、ネットワーク構成、及びパケットを使用することにより、各装置は、ＴＲＡＰの送信停止からの回線復旧時に、回線劣化時における各サーバからの要求無しにＴＲＡＰの再送を行って、回線劣化時のＴＲＡＰ送信停止時の自装置の状態の変更を通知することが可能となる。
【００３０】
以下、本発明の実施形態に係る無線アクセス装置の監視システムの具体的な動作手順について説明する。
図４は、本発明の実施形態に係る無線アクセス装置の監視システムにおける各装置の通常時の動作手順を示すフローチャート図である。
以下、図１を参照しながら、図４に示すフローチャートを使用して、本実施形態に係る無線アクセス装置の監視システムにおける各装置の通常時の動作手順を説明する。
なお、この動作手順は、各装置の制御部（図示は省略）の制御により行われるものであるので、各動作ステップにおいて、主語（動作の主体となる構成要素の名称）の記述は省略する。
【００３１】
（ステップＳ１）
まず、ステップＳ１では、装置内で状態変更のイベントが発生したことを検知する。
（ステップＳ２）
次に、ステップＳ２では、送信ＴＲＡＰテーブルを使用して、ＴＲＡＰ−ＩＤ−Ｓｅｑｕｅｎｃｅを取得し、データ（イベント情報）の保存を行なう。
（ステップＳ３）
次に、ステップＳ３では、ＳＮＭＰ−Ｍａｎａｇｅｒとして登録された送信先に対して、ステップＳ２にてＴＲＡＰ−ＩＤ−Ｓｅｑｕｅｎｃｅが取得されたＴＲＡＰの送信を行なう。
【００３２】
（ステップＳ４）
最後に、ステップＳ４では、送信済みＴＲＡＰ−Ｓｅｑｕｅｎｃｅ−ＩＤ管理テーブルに対応する送信先ＩＰアドレスの送信済みＳｅｑｕｅｎｃｅ−ＩＤを、前記送信した情報（ＴＲＡＰ）のＳｅｑｕｅｎｃｅ−ＩＤでもって更新する。
装置内で状態変更のイベントが発生した場合は、本状態を繰り返し行なうことにより、送信ＴＲＡＰテーブル及び送信済みＴＲＡＰ−Ｓｅｑｕｅｎｃｅ−ＩＤ管理テーブルの更新を行なう。  
【００３３】
図５は、本発明の実施形態に係る無線アクセス装置の監視システムにおいて、各装置から回線復旧通知と回線劣化発生通知とを発行する際の動作手順を示すフローチャート図である。
以下、図１を参照しながら、図４に示すフローチャートを使用して、本実施形態に係る無線アクセス装置の監視システムにおいて各装置から回線復旧通知と回線劣化発生通知とを発行する際の動作手順を説明する。
なお、この動作手順も、各装置の制御部（図示は省略）の制御により行われるものであるので、各動作ステップにおいて、主語の記述は省略する。
但し、各装置では、受信電界レベルによる回線復旧状態及び回線劣化状態を定める際の比較に使用するスレッショルドを、それぞれ設定しているものとする。
【００３４】
（ステップＳ２１）
まず、ステップＳ２１では、一定周期毎に現在の受信電界レベルの取得を行なう。
（ステップＳ２２）
次に、ステップＳ２２では、既に他装置に対して回線劣化通知を行なった後に、既に回線復旧通知を行なっているか（即ち、回線劣化通知の発行状態か）否かを検証し、回線復旧通知を行なっていない場合はステップＳ２３に進み、既に回線復旧通知を行なっている場合はステップＳ２６に移る。
（ステップＳ２３）
ステップＳ２３では、回線劣化通知状態でない場合の動作として、受信電界レベル（より具体的には信号受信端の電界レベル）が回線劣化通知スレッショルドを下回ったか否かを検証し、受信電界レベルが回線劣化通知スレッショルドを下回っている場合はステップＳ２４に進む。他方、受信電界レベルが回線劣化通知スレッショルドを下回っていない場合には回線劣化状態とは判断せず、処理を終了して、次回の受信電界レベルの取得時まで待機状態とする。
【００３５】
（ステップＳ２４）
ステップＳ２４では、回線劣化状態と判断して、他装置に対して回線劣化通知を発行する。
（ステップＳ２５）
次に、ステップＳ２５では、自装置を回線劣化状態にし、処理を終了して、次回の受信電界レベルの取得時まで待機状態とする。
（ステップＳ２６）
ステップＳ２６では、受信電界レベル（より具体的には信号受信端の電界レベル）が回線劣化通知スレッショルドを上回ったか否かを検証し、受信電界レベルが回線劣化通知スレッショルドを上回っている場合はステップＳ２７に進む。他方、受信電界レベルが回線劣化通知スレッショルドを上回っていない場合には処理を終了して、次回の受信電界レベルの取得時まで待機状態とする。
【００３６】
（ステップＳ２７）
ステップＳ２７では、回線復旧状態と判断して、他装置に対して回線復旧通知を発行する。
（ステップＳ２８）
次に、ステップＳ２８では、自装置を回線復旧状態にし、処理を終了して、次回の受信電界レベルの取得時まで待機状態とする。
【００３７】
以上は、回線系統が無線回線である場合の動作を示したが、回線系統が有線回線である場合にも、同様の動作を行うことができる。
上記の動作により、或る装置が回線劣化状態を検知した場合には該装置からの回線劣化通知を、回線復旧状態を検知した場合には該装置からの回線復旧通知を、それぞれ他の装置に対して通知することが可能となる。また、該装置においても、それぞれの場合に対応することができる。
【００３８】
図６は、本発明の実施形態に係る無線アクセス装置の監視システムにおいて、各装置が回線劣化通知を受信した際の動作手順を示すフローチャート図である。
以下、図２を参照しながら、図６に示すフローチャートを使用して、本実施形態に係る無線アクセス装置の監視システムにおいて、各装置が回線劣化通知を受信した際の動作手順を説明する。
なお、この動作手順も、各装置の制御部（図示は省略）の制御により行われるものであるので、各動作ステップにおいて、主語の記述は省略する。
【００３９】
（ステップＳ４１）
まず、ステップＳ４１で、回線劣化通知を受信する。
（ステップＳ４２）
次に、ステップＳ４２では、回線劣化通知のパケットを受信したポートを確認し、パケットを受信した回線系統の情報を取得する。
（ステップＳ４３）
次に、ステップＳ４３では、この回線系統の情報を基に、送信先ＩＰ情報を、ＴＲＡＰ送信先アドレス／方向テーブルを検索して取得する。
（ステップＳ４４）
次に、ステップＳ４４では、回線劣化通知パケット内に記載された回線劣化発生時刻を確認する。
【００４０】
（ステップＳ４５）
次に、ステップＳ４５では、この回線劣化発生時刻の直前に発生したＴＲＡＰのＴＲＡＰ−ＩＤを、送信ＴＲＡＰテーブルから検索して抽出する。
（ステップＳ４６）
次に、ステップＳ４６では、ステップＳ４３で取得した送信先ＩＰ情報と、ステップＳ４５で取得したＴＲＡＰ−ＩＤとでもって、送信済みＴＲＡＰ−Ｓｅｑｕｅｎｃｅ−ＩＤ管理テーブルを更新する。
（ステップＳ４７）
最後に、ステップＳ４７では、ステップＳ４２で抽出した送信先ＩＰ情報に対するＴＲＡＰの送信を停止する。
【００４１】
上記の動作により、各装置が、回線劣化通知を受信した場合に、次回に再送を開始するＴＲＡＰのＳｅｑｕｅｎｃｅ−ＩＤの更新を行うことができると共に、回線劣化した経路を介してのサーバへの送信を停止することができる。
【００４２】
図７は、本発明の実施形態に係る無線アクセス装置の監視システムにおいて、各装置が回線復旧通知を受信した際の動作手順を示すフローチャート図である。
以下、図３を参照しながら、図７に示すフローチャートを使用して、本実施形態に係る無線アクセス装置の監視システムにおいて、各装置が回線復旧通知を受信した際の動作手順を説明する。
なお、この動作手順も、各装置の制御部（図示は省略）の制御により行われるものであるので、各動作ステップにおいて、主語の記述は省略する。
【００４３】
（ステップＳ６１）
まず、ステップＳ６１で、回線復旧通知を受信する。
（ステップＳ６２）
次に、ステップＳ６２では、回線劣化通知のパケットを受信したポートを確認し、パケットを受信した回線系統の情報を取得する。
（ステップＳ６３）
次に、ステップＳ６３では、この回線系統の情報を基に、送信先ＩＰ情報を、ＴＲＡＰ送信先アドレス／方向テーブルを検索して取得する。
（ステップＳ６４）
次に、ステップＳ６４では、取得した送信先ＩＰアドレス情報を基に、送信済みＴＲＡＰ−Ｓｅｑｕｅｎｃｅ−ＩＤ管理テーブルを検索して、送信済みＴＲＡＰのＳｅｑｕｅｎｃｅ−ＩＤを取得する。
【００４４】
（ステップＳ６５）
最後に、ステップＳ６５では、検索されたＴＲＡＰのＳｅｑｕｅｎｃｅ−ＩＤから順に送信ＴＲＡＰテーブルに保存している情報を、ステップＳ６３で取得した送信先ＩＰアドレスに対して送信する。
上記の動作により、各装置が、回線復旧通知を受信した場合に、ＴＲＡＰ送信停止時における情報を回線復旧後にサーバに送信することが可能となり、サーバにおけるデータ補完を行なうことが可能となる。
【００４５】
本実施形態に係る無線アクセス装置の監視システムによれば、前述のとおり、サーバＡにおいては、各装置の回線劣化状態を意識することなく、回線劣化時における、各装置Ｎから送信されるＴＲＡＰロスを防ぐことが可能になる効果が有る。
また、サーバＡではＴＲＡＰの受信方法を変えることなく、各装置側で送信停止をしていた間のデータを、無線回線復旧時に補完することが可能となる。
【００４６】
（他の実施の形態）
前述の実施の形態（図１〜３参照）では、装置（監視装置）を８台とする構成であったが、本発明では、一般に、装置の設置台数については特に制限を設ける必要がない。
また、前述の実施の形態では、無線回線／有線回線という回線種別により、劣化した通信回線の系統を特定するものとしているが、本発明では、一般に、複数ポートを備え、かつポート単位にパケットの送受信の管理可能な装置でありさえすれば、複数ポートにおける同様の制御（回線系統の特定）が可能となる。
【００４７】
なお、本発明に係る無線アクセス装置の各構成要素の処理の少なくとも一部をコンピュータ制御により実行するものとし、かつ、上記処理を、図４〜７の各フローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【産業上の利用可能性】
【００４８】
本発明は、無線アクセス装置の監視システム及び無線アクセス装置の構築に適用可能であり、特に、ＳＮＭＰ通信のＴＲＡＰを使用した監視システム無線アクセス装置の監視システム及び無線アクセス装置の構築に好適である。
【符号の説明】
【００４９】
Ａ，Ｂ  サーバ
Ｎ１〜Ｎ８  無線アクセス装置（監視装置）
【図１】
2011082906.tif 000003
【図２】
2011082906.tif 000004
【図３】
2011082906.tif 000005
【図４】
2011082906.tif 000006
【図５】
2011082906.tif 000007
【図６】
2011082906.tif 000008
【図７】
2011082906.tif 000009
【図８】
2011082906.tif 000010
【図９】
2011082906.tif 000011